(57)【要約】【課題】受信側において視聴可能なデジタル放送の選局情報のみを認識することができるようにする。【解決手段】通信部７９は、デジタル放送を受信する受信装置に、デジタル放送のコンテンツの利用条件としてのライセンス有効期限、および、コンテンツに施されているスクランブルを解除するためのスクランブル鍵を含む視聴ライセンスと、デジタル放送の選局に関する情報である選局情報とを送信する。本発明は、例えば、デジタル放送を受信する受信端末と通信を行うサーバに適用することができる。【選択図】図５
2010268091.tif 000002
【特許請求の範囲】
【請求項１】
デジタル放送を受信する受信装置に、前記デジタル放送のコンテンツの利用条件を含むライセンスと、前記デジタル放送の選局に関する情報である選局情報とを送信する送信手段
を備える送信装置。
【請求項２】
前記ライセンスは、前記コンテンツに施されているスクランブルを解除するための鍵を含む
請求項１に記載の送信装置。
【請求項３】
送信装置が、
デジタル放送を受信する受信装置に、前記デジタル放送のコンテンツの利用条件を含むライセンスと、前記デジタル放送の選局に関する情報である選局情報とを送信する送信ステップ
を含む送信方法。
【請求項４】
コンピュータに、
デジタル放送を受信する受信装置に、前記デジタル放送のコンテンツの利用条件を含むライセンスと、前記デジタル放送の選局に関する情報である選局情報とを送信する送信ステップ
を含む処理を実行させるプログラム。
【請求項５】
デジタル放送のコンテンツの利用条件を含むライセンスと、前記デジタル放送の選局に関する情報である選局情報とを受信する受信手段と、
前記選局情報に基づいて前記デジタル放送を選局する選局手段と、
前記ライセンスに基づいて前記デジタル放送の前記コンテンツを再生する再生手段と
を備える受信装置。
【請求項６】
前記ライセンスは、前記コンテンツに施されているスクランブルを解除するための鍵を含む
請求項５に記載の受信装置。
【請求項７】
受信装置が、
デジタル放送のコンテンツの利用条件を含むライセンスと、前記デジタル放送の選局に関する情報である選局情報とを受信する受信ステップと、
前記選局情報に基づいて前記デジタル放送を選局する選局ステップと、
前記ライセンスに基づいて前記デジタル放送の前記コンテンツを再生する再生ステップと
を含む受信方法。
【請求項８】
コンピュータに、
デジタル放送のコンテンツの利用条件を含むライセンスと、前記デジタル放送の選局に関する情報である選局情報の受信を制御する受信制御ステップと、
前記選局情報に基づいて前記デジタル放送の選局を制御する選局制御ステップと、
前記ライセンスに基づいて前記デジタル放送の前記コンテンツを再生する再生ステップと
を含む処理を実行させるプログラム。
【発明の詳細な説明】
【技術分野】
【０００１】
本発明は、送信装置および送信方法、受信装置および受信方法、並びにプログラムに関し、特に、受信側において視聴可能なデジタル放送の選局情報のみを認識することができるようにした送信装置および送信方法、受信装置および受信方法、並びにプログラムに関する。
【背景技術】
【０００２】
近年、UHF（Ultra High Frequency）帯において地上波デジタル放送が実施されている。地上波デジタル放送の物理チャンネルは１３セグメントに分割され、そのうちの１セグメント分の帯域で携帯端末向け放送（以下、ワンセグ放送という）が行われる。そして、残りの１２セグメント分の帯域で、テレビジョン受像機などの固定端末向け放送が行われる（例えば、特許文献１参照）。
【０００３】
地上波デジタル放送には、UHF帯の１３乃至５２チャンネルのうち、各地域で実際に地上波デジタル放送が行われているチャンネル以外の空きチャンネルが多く存在する。そのため、この空きチャンネルを有効利用する方法が検討されている。
【０００４】
空きチャンネルを有効利用する有力な方法としては、空きチャンネルで多チャンネルコミュニティ放送を行う方法がある。なお、多チャンネルコミュニティ放送とは、限定された地域で複数の論理チャンネルを利用して多面的に行われる１セグメント単位の放送である。以下では、多チャンネルコミュニティ放送を単にコミュニティ放送という。
【０００５】
ところで、固定端末向けの地上波デジタル放送では、CAS（Conditional Access System）方式を用いて受信制限を行うことが可能である。一方で、ワンセグ放送ではCAS方式は使用されていないが、受信制限が必要になった場合には、固定端末向け放送と同様のCAS方式を採用することが想定される。そこで、以下では、このような場合について説明する。
【０００６】
図１は、ワンセグ放送のCAS方式について説明する図である。
【０００７】
図１に示すように、受信制限されるワンセグ放送のNIT（Network Information Table）は、このワンセグ放送のネットワークＩＤ（NID）、周波数(Frequency)を表すチューニング情報、放送サービスのサービスリストなどにより構成される。なお、ネットワークＩＤは、ネットワークに固有のＩＤである。サービスリストは、放送サービスのサービスＩＤ（ServiceID）とサービスタイプ（ServiceType）などにより構成される。サービスＩＤは、放送サービスに固有のＩＤであり、サービスタイプは、放送サービスのタイプ（テレビジョン放送、ラジオ放送など）である。
【０００８】
ワンセグ放送を受信する受信端末は、このNITからサービスＩＤを取得し、そのサービスＩＤに対応するPMT(Program Map Table)を取得する。図１に示すように、PMTには、サービスＩＤ、PCR_PID、そのサービスＩＤに対応するワンセグ放送の放送サービスを構成するＥＳ（Elementary Stream)のＥＳ情報、その放送サービスのCAS情報であるワンセグCAS情報などにより構成される。
【０００９】
PCR_PIDは、PCR（Program Clock Reference）のパケットに固有のＩＤ（以下、パケットＩＤという）である。また、ＥＳ情報は、ＥＳのパケットＩＤであるES_PID、ＥＳのタイプであるES_typeなどにより構成される。ワンセグCAS情報は、CAS方式、そのCAS方式で用いられるスクランブル鍵に関する情報としての、スクランブル鍵が暗号化されたものを含むECM（Entitlement Control Message）パケットのパケットＩＤであるECM_PIDなどにより構成される。なお、暗号化されたスクランブル鍵を復号するための鍵は、EMM（Entitlement Management Message）パケットに含まれる。
【００１０】
EMMパケットは、暗号化されて地上波デジタル放送に含まれる。EMMパケットは、受信端末のユーザが受信制限される放送を受信するための登録（以下、受信登録という）を行うことで発行されるＩＣ（Integrated Circuit）カード等に含まれる鍵を用いて復号することにより、取得することができる。
【００１１】
従って、受信端末のユーザは、まず、受信登録を行い、EMMパケットの暗号化を解除するための鍵を含むＩＣカード等を取得する。そして、ユーザは、そのＩＣカードを用いて受信端末にEMMパケットを取得させる。受信端末は、そのEMMパケットに含まれる鍵でECMに含まれる暗号化されたスクランブル鍵のスクランブルを解除し、その結果得られるスクランブル鍵を用いて、PMTに含まれるＥＳ情報に対応するワンセグ放送のＥＳのスクランブルを解除する。その結果、受信制限されるワンセグ放送の映像や音声を再生することができる。
【先行技術文献】
【特許文献】
【００１２】
【特許文献１】特開２００７−３２９８４７号公報
【発明の概要】
【発明が解決しようとする課題】
【００１３】
以上のように、従来のCAS方式では、受信制限される地上波デジタル放送の周波数などがNITに記述されるため、受信制限のある地上波デジタル放送に対応していない受信端末において、視聴不可能な受信制限のある地上波デジタル放送が認識されてしまう。
【００１４】
本発明は、このような状況に鑑みてなされたものであり、受信側において視聴可能なデジタル放送の選局情報のみを認識することができるようにするものである。
【課題を解決するための手段】
【００１５】
本発明の第１の側面の送信装置は、デジタル放送を受信する受信装置に、前記デジタル放送のコンテンツの利用条件を含むライセンスと、前記デジタル放送の選局に関する情報である選局情報とを送信する送信手段を備える送信装置である。
【００１６】
本発明の第１の側面の送信方法は、送信装置が、デジタル放送を受信する受信装置に、前記デジタル放送のコンテンツの利用条件を含むライセンスと、前記デジタル放送の選局に関する情報である選局情報とを送信する送信ステップを含む送信方法である。
【００１７】
本発明の第１の側面のプログラムは、コンピュータに、デジタル放送を受信する受信装置に、前記デジタル放送のコンテンツの利用条件を含むライセンスと、前記デジタル放送の選局に関する情報である選局情報とを送信する送信ステップを含む処理を実行させるプログラムである。
【００１８】
本発明の第１の側面においては、デジタル放送を受信する受信装置に、デジタル放送のコンテンツの利用条件を含むライセンスと、デジタル放送の選局に関する情報である選局情報とが送信される。
【００１９】
本発明の第２の側面の受信装置は、デジタル放送のコンテンツの利用条件を含むライセンスと、前記デジタル放送の選局に関する情報である選局情報とを受信する受信手段と、前記選局情報に基づいて前記デジタル放送を選局する選局手段と、前記ライセンスに基づいて前記デジタル放送の前記コンテンツを再生する再生手段とを備える受信装置である。
【００２０】
本発明の第２の側面の受信方法は、受信装置が、デジタル放送のコンテンツの利用条件を含むライセンスと、前記デジタル放送の選局に関する情報である選局情報とを受信する受信ステップと、前記選局情報に基づいて前記デジタル放送を選局する選局ステップと、前記ライセンスに基づいて前記デジタル放送の前記コンテンツを再生する再生ステップとを含む受信方法である。
【００２１】
本発明の第２の側面のプログラムは、コンピュータに、デジタル放送のコンテンツの利用条件を含むライセンスと、前記デジタル放送の選局に関する情報である選局情報の受信を制御する受信制御ステップと、前記選局情報に基づいて前記デジタル放送の選局を制御する選局制御ステップと、前記ライセンスに基づいて前記デジタル放送の前記コンテンツを再生する再生ステップとを含む処理を実行させるプログラムである。
【００２２】
本発明の第２の側面においては、デジタル放送のコンテンツの利用条件を含むライセンスと、デジタル放送の選局に関する情報である選局情報とが受信され、その選局情報に基づいてデジタル放送が選局され、ライセンスに基づいてデジタル放送のコンテンツが再生される。
【発明の効果】
【００２３】
以上のように、本発明によれば、受信側において視聴可能なデジタル放送の選局情報のみを認識することができる。
【図面の簡単な説明】
【００２４】
【図１】ワンセグ放送のCAS方式について説明する図である。
【図２】本発明を適用した送受信システムの第１実施の形態の構成例を示す図である。
【図３】ライセンス方式について説明する図である。
【図４】図２の受信端末の詳細構成例を示すブロック図である。
【図５】図２のサーバの詳細構成例を示すブロック図である。
【図６】送受信システムにおける視聴ライセンス取得処理を説明するフローチャートである。
【図７】視聴ライセンスの構成例を示す図である。
【図８】視聴ライセンスに含まれるスクランブル鍵について説明する図である。
【図９】受信端末による有料のコミュニティ放送の再生方法について説明する図である。
【図１０】コミュニティCAS情報の配置例を示す図である。
【図１１】有料コミュニティ放送の選局処理を説明するフローチャートである。
【図１２】本発明を適用した送受信システムの第２実施の形態の構成例を示す図である。
【図１３】図１２の受信端末の詳細構成例を示すブロック図である。
【図１４】図１２のリーダライタの詳細構成例を示すブロック図である。
【図１５】パーソナルコンピュータのハードウエアの構成例を示すブロック図である。
【発明を実施するための形態】
【００２５】
＜第１実施の形態＞
［送受信システムの第１実施の形態の構成例］
図２は、本発明を適用した送受信システムの第１実施の形態の構成例を示す図である。
【００２６】
図２の送受信システム３０は、地上波放送局３１、コミュニティ放送局３２、受信端末３３、ネットワーク３４、およびサーバ３５により構成される。
【００２７】
地上波放送局３１は、地上波デジタル放送波で無料のワンセグ放送を含む地上波デジタル放送を行う。コミュニティ放送局３２は、地上波デジタル放送波の空きチャンネルの中央セグメントで、サービスエリアＡでのみ受信可能な有料のコミュニティ放送を行う。この有料のコミュニティ放送は、所定のCAS方式であるライセンス方式で受信制限される。
【００２８】
受信端末３３は、地上波デジタル放送波の中央セグメントで送信される無料のワンセグ放送または有料のコミュニティ放送を受信可能な携帯端末である。従って、図２に示すように、受信端末３３を所持したユーザがサービスエリアＡにいる場合、受信端末３３は、無料のワンセグ放送とコミュニティ放送局３２による有料のコミュニティ放送を受信することができる。
【００２９】
また、受信端末３３は、ネットワーク３４を介してサーバ３５と無線通信を行う。例えば、受信端末３３としてWi-Fiとして認定される端末が用いられる場合、受信端末３３は、IEEE(Institute of Electrical and Electronic Engineers)802.11に準拠した無線通信をサーバ３５と行う。なお、受信端末３３は、携帯電話網をネットワーク３４としてサーバ３５と無線通信を行ってもよい。
【００３０】
受信端末３３は、サーバ３５と無線通信を行うことにより、サーバ３５から有料のコミュニティ放送のビデオデータやオーディオデータであるコンテンツに施されたスクランブルを解除するためのスクランブル鍵などを取得する。
【００３１】
サーバ３５は、ネットワーク３４を介して受信端末３３と無線通信を行い、受信端末３３の認証を行う。また、サーバ３５は、正当な受信端末３３に、コミュニティ放送局３２により放送される有料のコミュニティ放送のスクランブル鍵を、ネットワーク３４を介して送信する。さらに、サーバ３５は、受信端末３３に送信したスクランブル鍵に対応する有料のコミュニティ放送についての課金処理を受信端末３３に対して行う。
【００３２】
［ライセンス方式の説明］
図３は、ライセンス方式について説明する図である。
【００３３】
図３に示すように、ライセンス方式では、受信端末３３が、サーバ３５との無線通信により、有料のコミュニティ放送を再生するために必要なスクランブル鍵などの情報を含む視聴ライセンスを購入し、取得する。そして、受信端末３３は、視聴ライセンスを用いて有料のコミュニティ放送を再生する。
【００３４】
［受信端末の詳細構成例］
図４は、図２の受信端末３３の詳細構成例を示すブロック図である。
【００３５】
図４の受信端末３３は、アンテナ５１、チューナ５２、デスクランブラ５３、デマルチプレクサ５４、ビデオデコーダ５５、選択部５６、表示部５７、オーディオデコーダ５８、スピーカ５９、ブラウザ６０、無線通信インタフェース６１、CAS処理部６２、記憶部６３、および制御部６４により構成される。
【００３６】
チューナ５２は、制御部６４から供給されるチューニング情報に基づいて選局を行い、地上波デジタル放送波の中央セグメントのＴＳ（Transport Stream）を順に、アンテナ５１を介して受信する。即ち、チューナ５２は、地上波デジタル放送波の中央セグメントのＴＳをスキャンする。
【００３７】
チューナ５２は、制御部６４から供給されるチューニング情報に基づいて選局を行い、所定の論理チャンネルのワンセグ放送のＴＳを、アンテナ５１を介して地上波放送局３１から受信する。また、チューナ５２は、CAS処理部６２から供給されるチューニング情報に基づいて選局を行い、所定の論理チャンネルのコミュニティ放送のＴＳを、アンテナ５１を介してコミュニティ放送局３２から受信する。チューナ５２は、受信されたＴＳをデスクランブラ５３に供給する。
【００３８】
デスクランブラ５３は、チューナ５２から供給されるＴＳに施されたスクランブルを、CAS処理部６２から供給されるスクランブル鍵を用いて解除し、デマルチプレクサ５４に供給する。
【００３９】
デマルチプレクサ５４は、デスクランブラ５３から供給されるＴＳを、ビデオデータ、オーディオデータ、放送においてブラウザを用いた表示を行うための情報（以下、表示制御情報という）、PSI(Program Specific Information)の各情報等に分離する。デマルチプレクサ５４は、ビデオデータをビデオデコーダ５５に供給し、オーディオデータをオーディオデコーダ５８に供給する。また、デマルチプレクサ５４は、表示制御情報をブラウザ６０に供給し、PSIの各情報等を制御部６４およびCAS処理部６２に供給する。
【００４０】
ビデオデコーダ５５は、制御部６４の制御にしたがって、デマルチプレクサ５４から供給されるビデオデータを、地上波放送局３１またはコミュニティ放送局３２におけるエンコードに対応する方式でデコードし、選択部５６に供給する。
【００４１】
選択部５６は、制御部６４の制御にしたがって、ビデオデコーダ５５から供給されるビデオデータまたはブラウザ６０から供給されるビデオデータを選択し、表示部５７に供給する。表示部５７は、選択部５６から供給されるビデオデータに基づいて、ワンセグ放送またはコミュニティ放送の画像などを表示する。
【００４２】
オーディオデコーダ５８は、制御部６４の制御にしたがって、デマルチプレクサ５４から供給されるオーディオデータを、地上波放送局３１またはコミュニティ放送局３２におけるエンコードに対応する方式でデコードし、スピーカ５９に供給する。スピーカ５９は、オーディオデコーダ５８から供給されるオーディオデータに対応する音声を、ワンセグ放送またはコミュニティ放送の音声として出力する。
【００４３】
ブラウザ６０は、デマルチプレクサ５４から供給される表示制御情報を解釈して、ビデオデータを生成し、選択部５６に供給する。
【００４４】
無線通信インタフェース６１は、ネットワーク３４を介してサーバ３５と無線通信を行う。例えば、無線通信インタフェース６１は、CAS処理部６２から供給される、受信端末３３に付与された受信端末に固有のＩＤである端末ＩＤを、ネットワーク３４を介してサーバ３５に送信する。また、無線通信インタフェース６１は、サーバ３５による端末ＩＤを用いた認証処理の結果送信されてくる視聴ライセンスを、ネットワーク３４を介して受信し、CAS処理部６２に供給する。
【００４５】
CAS処理部６２は、記憶部６３に記憶されている受信端末３３の端末ＩＤを、無線通信インタフェース６１に供給する。また、CAS処理部６２は、無線通信インタフェース６１から供給される視聴ライセンスを、記憶部６３に供給して記憶させる。
【００４６】
さらに、CAS処理部６２は、視聴ライセンスに含まれるチューニング情報をチューナ５２に供給し、スクランブル鍵をデスクランブラ５３に供給する。CAS処理部６２は、視聴ライセンスに含まれる、有料のコミュニティ放送の選局に関する情報である選局情報のうちのチューニング情報、サービスＩＤ、サービス名、サービスタイプなどを、記憶部６３の選局情報のテーブルである選局テーブルに登録する。
【００４７】
記憶部６３は、端末ＩＤ、視聴ライセンス、選局テーブルなどを記憶する。
【００４８】
制御部６４は、地上波デジタル放送波の各物理チャンネルの中央セグメントのチューニング情報を順にチューナ５２に供給する。制御部６４は、これによりデマルチプレクサ５４から供給されるワンセグ放送のNITに含まれるチューニング情報、サービスＩＤ、およびサービスタイプ、SDT（Service Description Table）に含まれるサービス名などを記憶部の選局テーブルに登録する。
【００４９】
また、制御部６４は、ユーザからの指令に応じて、記憶部６３に記憶されている選局テーブルに登録されているサービス名をブラウザ６０に供給し、そのサービス名を表示部５７に表示させる。ユーザは、表示部５７に表示されたサービス名を見て、視聴対象とする放送サービスのサービス名を選択指示する。制御部６４は、この選択指示に基づいて、選局テーブルから視聴対象のサービス名に対応するチューニング情報を読み出し、チューナ５２に供給する。
【００５０】
さらに、制御部６４は、デマルチプレクサ５４から供給されるPSIの各情報に基づいて、ビデオデコーダ５５、選択部５６、オーディオデコーダ５８、およびブラウザ６０を制御する。具体的には、制御部６４は、例えば、ビデオデコーダ５５から出力されるビデオデータとオーディオデコーダ５８から出力されるオーディオデータの同期をとるように、ビデオデコーダ５５とオーディオデコーダ５８を制御する。
【００５１】
［サーバの詳細構成例］
図５は、図２のサーバ３５の詳細構成例を示すブロック図である。
【００５２】
図５のサーバ３５において、CPU（Central Processing Unit）７１，ROM（Read Only Memory）７２，RAM（Random Access Memory）７３は、バス７４により相互に接続されている。
【００５３】
バス７４には、さらに、入出力インタフェース７５が接続されている。入出力インタフェース７５には、入力部７６、出力部７７、記憶部７８、通信部７９、およびドライブ８０が接続されている。
【００５４】
入力部７６は、キーボード、マウス、マイクロフォンなどよりなる。出力部７７は、ディスプレイ、スピーカなどよりなる。記憶部７８は、ハードディスクや不揮発性のメモリなどよりなる。通信部７９は、ネットワークインタフェースなどよりなる。ドライブ８０は、磁気ディスク、光ディスク、光磁気ディスク、又は半導体メモリなどのリムーバブルメディア８１を駆動する。
【００５５】
以上のように構成されるサーバ３５では、CPU７１が、例えば、記憶部７８に記憶されているプログラムを、入出力インタフェース７５およびバス７４を介して、RAM７３にロードして実行することにより、各種の処理が行われる。
【００５６】
具体的には、CPU７１は、通信部７９によりネットワーク３４を介して受信端末３３から受信された端末ＩＤに基づいて、受信端末３３に対する認証処理を行う。また、CPU７１は、その認証処理の結果に応じて、記憶部７８に記憶されている、コミュニティ放送局３２により送信される有料のコミュニティ放送の視聴ライセンスを、通信部７９を制御して受信端末３３に送信する。さらに、CPU７１は、視聴ライセンスを受信した受信端末３３に対して、その視聴ライセンスに対応する有料のコミュニティ放送についての課金処理を行う。
【００５７】
なお、CPU７１が実行するプログラムは、例えば、パッケージメディア等としてのリムーバブルメディア８１に記録して提供することができる。また、プログラムは、ローカルエリアネットワーク、インターネット、デジタル衛星放送といった、有線または無線の伝送媒体を介して提供することができる。
【００５８】
また、サーバ３５では、プログラムは、リムーバブルメディア８１をドライブ８０に装着することにより、入出力インタフェース７５を介して、記憶部７８にインストールすることができる。さらに、プログラムは、有線または無線の伝送媒体を介して、通信部７９で受信し、記憶部７８にインストールすることができる。その他、プログラムは、ROM７２や記憶部７８に、あらかじめインストールしておくことができる。
【００５９】
［送受信システムによる視聴ライセンス取得処理の説明］
図６は、送受信システム３０における視聴ライセンス取得処理を説明するフローチャートである。
【００６０】
図６のステップＳ２１において、受信端末３３のCAS処理部６２（図４）は、記憶部６３に記憶されている端末ＩＤを無線通信インタフェース６１に供給することにより、その端末ＩＤを、ネットワーク３４を介してサーバ３５に送信する。
【００６１】
ステップＳ１１において、サーバ３５の通信部７９（図５）は、受信端末３３から送信されてくる端末ＩＤを、ネットワーク３４を介して受信し、CPU７１に供給する。ステップＳ１２において、CPU７１は、通信部７９から供給される端末ＩＤに基づいて、その端末ＩＤに対応する受信端末３３が、有料のコミュニティ放送を提供可能な正当な受信端末であるかどうかを判定する認証処理を行う。
【００６２】
受信端末３３が正当な受信端末であると判定された場合、ステップＳ１３において、CPU７１は、記憶部７８から視聴ライセンスを読み出し、通信部７９を制御して、その視聴ライセンスを受信端末３３に送信する。一方、受信端末３３が正当な受信端末ではないと判定された場合、処理は終了する。
【００６３】
ステップＳ２２において、受信端末３３の無線通信インタフェース６１は、サーバ３５から送信されてくる視聴ライセンスを受信し、CAS処理部６２に供給する。ステップＳ２３において、CAS処理部６２は、視聴ライセンスの受信の完了通知を無線通信インタフェース６１に供給することにより、その完了通知をサーバ３５に送信する。
【００６４】
ステップＳ１４において、サーバ３５の通信部７９は、受信端末３３から送信されてくる完了通知を受信し、CPU７１に供給する。ステップＳ１５において、CPU７１は、受信端末３３に対して、ステップＳ１３で送信された視聴ライセンスに対応する有料のコミュニティ放送についての課金処理を行う。そして処理は終了する。
【００６５】
以上のように、送受信システム３０では、サーバ３５がスクランブル鍵を含む視聴ライセンスを受信端末３３に送信するので、受信端末３３は、スクランブル鍵を即座に取得することができる。
【００６６】
また、送受信システム３０において、ライセンス方式のために必要なサーバ３５の機能は、認証機能、視聴ライセンスの送信機能、および課金機能だけであるため、サーバ３５を低コストで実現することができる。
【００６７】
［視聴ライセンスの説明］
図７は、視聴ライセンスの構成例を示す図である。
【００６８】
図７の視聴ライセンスは、視聴ライセンスに固有のＩＤであるライセンスＩＤ、視聴ライセンスの利用条件としての有効期限であるライセンス有効期限、スクランブル鍵、および選局情報により構成される。
【００６９】
選局情報には、視聴ライセンスに対応する有料のコミュニティ放送の、ネットワークＩＤ、ＴＳに固有のＩＤであるＴＳＩＤ、有料サービスリストなどにより構成される。有料サービスリストは、サービスＩＤ、サービスタイプ、サービス名、チューニング周波数、およびPMTのパケットＩＤにより構成される。
【００７０】
図８は、視聴ライセンスに含まれるスクランブル鍵について説明する図である。
【００７１】
視聴ライセンスに含まれるスクランブル鍵は、図８Ａに示すように、有料のコミュニティ放送の１つの放送サービスに対して１つ設定されてもよいし、図８Ｂに示すように、複数の放送サービスに対して１つ設定されてもよい。スクランブル鍵が１つの放送サービスに対して１つ設定される場合には、１つの放送サービス単位で課金処理が行われ、複数の放送サービスに対して１つ設定される場合には、複数の放送サービス単位で課金処理が行われる。
【００７２】
また、スクランブル鍵は、有料のコミュニティ放送の時間単位、日単位、または月単位の放送サービスに対して設定されるようにしてもよい。この場合、時間単位、日単位、または月単位で課金処理が行われる。
【００７３】
［有料のコミュニティ放送の再生方法の説明］
図９は、受信端末３３による有料のコミュニティ放送の再生方法について説明する図である。
【００７４】
図９に示すように、有料のコミュニティ放送のNITには、ネットワークＩＤ、チューニング情報などが記述され、サービスリストは記述されない。従って、受信端末３３は、地上波デジタル放送波を受信しただけでは、有料のコミュニティ放送のサービスＩＤを認識できず、そのコミュニティ放送のPMTを認識することができない。
【００７５】
一方、受信端末３３はサーバ３５と無線通信を行い、視聴ライセンスを取得することにより、有料のコミュニティ放送の選局情報を認識することができる。即ち、受信端末３３では、視聴可能な無料のワンセグ放送と有料のコミュニティ放送の選局情報が認識される。
【００７６】
また、視聴ライセンスの選局情報にはPMTのパケットＩＤが含まれているため、有料のコミュニティ放送のPMTを認識することができる。このPMTには、サービスＩＤ、PCRのパケットＩＤ、そのサービスＩＤに対応する有料のコミュニティ放送の放送サービスを構成するＥＳのＥＳ情報、その放送サービスのCAS情報であるコミュニティCAS情報などが含まれる。コミュニティCAS情報は、CAS方式、このCAS方式で用いられるスクランブル鍵に関する情報としての、視聴ライセンスのライセンスＩＤなどにより構成される。
【００７７】
受信端末３３は、PMTを認識すると、そのPMTに含まれるＥＳ情報に基づいて有料のコミュニティ放送の放送サービスのＥＳを取得し、PMTに含まれるライセンスＩＤに対応するスクランブル鍵で、そのＥＳのスクランブルを解除する。その結果、有料のコミュニティ放送の映像や音声が再生される。
【００７８】
以上のように、有料のコミュニティ放送のNITにはサービスリストが記述されないので、有料のコミュニティ放送を受信しただけでは、有料のコミュニティ放送を再生することができない。従って、視聴ライセンスを取得していない不正な受信端末が有料のコミュニティ放送を再生することを防止することができる。
【００７９】
また、有料のコミュニティ放送のNITは、ワンセグ放送のNITに対してサービスリストが記述されない点を除いて同様に構成される。従って、有料のコミュニティ放送に対応しない既存の受信端末は、本発明の地上波デジタル放送波を受信した場合、有料のコミュニティ放送を再生できないだけで、誤動作を起こさない。即ち、有料のコミュニティ放送に対応しない既存の受信端末では、視聴可能な無料のワンセグ放送の選局情報のみが認識される。
【００８０】
[コミュニティCAS情報の配置例]
図１０は、コミュニティCAS情報の配置例を示す図である。
【００８１】
図１０に示すように、コミュニティCAS情報は、例えば、PMTに配置される限定受信記述子に記述される。限定受信記述子には、CAS方式ＩＤ（CA_system_id）、CAS方式パケットＩＤ（CA_PID）、プライベートデータ領域（Private_data）などが配置される。
【００８２】
CAS方式ＩＤは、CAS方式に固有のＩＤである。CAS方式パケットＩＤとしては、CAS方式が従来のCAS方式である場合、即ち限定受信記述子にワンセグCAS情報が記述される場合に、そのCAS方式で用いられるスクランブル鍵に関する情報として、ECMのパケットＩＤ（ECM_PID）が記述される。CAS方式がライセンス方式である場合、即ち限定受信記述子にコミュニティCAS情報が記述される場合には、CAS方式パケットＩＤとしては何も記述されない。プライベートデータ領域には、CAS方式がライセンス方式である場合に、ライセンスＩＤ(License_id)が記述される。
【００８３】
以上のように、限定受信記述子にはCAS方式ＩＤが配置されるので、送受信システム３０では、従来のCAS方式とライセンス方式を同時に運用することもできる。
【００８４】
また、CAS方式がライセンス方式である場合には、限定受信記述子のCAS方式パケットＩＤに何も記述されず、プライベートデータ領域にライセンスＩＤが記述される。従って、CAS方式がライセンス方式であることによる、地上波デジタル放送波の有意な帯域消費はない。
【００８５】
[受信端末による有料コミュニティ放送の選局処理の説明]
図１１は、受信端末３３による有料コミュニティ放送の選局処理を説明するフローチャートである。この選局処理は、例えば、ユーザが表示部５７に表示されたサービス名を見て、視聴対象とする有料のコミュニティ放送のサービス名を選択指示したときに開始される。
【００８６】
図１１のステップＳ３１において、制御部６４は、ユーザにより選択指示されたサービス名に対応して選局テーブルに登録されているチューニング情報を、視聴対象のチューニング情報として記憶部６３から読み出し、チューナ５２に供給する。
【００８７】
ステップＳ３２において、チューナ５２は、制御部６４から供給されるチューニング情報が示す周波数に基づいて、視聴対象である有料のコミュニティ放送を選局する。これにより、視聴対象のＴＳのデスクランブラ５３を介したデマルチプレクサ５４への供給が開始される。
【００８８】
ステップＳ３３において、デマルチプレクサ５４は、チューナ５２からデスクランブラ５３を介して供給されるＴＳを分離し、PMTを抽出する。デマルチプレクサ５４は、そのPMTをCAS処理部６２および制御部６４に供給する。
【００８９】
ステップＳ３４において、CAS処理部６２は、記憶部６３に記憶されている視聴ライセンスの選局情報に含まれるPMTのパケットＩＤに基づいて、デマルチプレクサ５４から供給されるPMTから視聴対象のPMTを取得し、解析する。
【００９０】
ステップＳ３５において、CAS処理部６２は、視聴対象のPMTの限定受信記述子に記述されているCAS方式はライセンス方式であるかどうかを判定する。ステップＳ３５でCAS方式はライセンス方式であると判定された場合、処理はステップＳ３６に進む。
【００９１】
ステップＳ３６において、CAS処理部６２は、視聴対象のPMTのプライベートデータ領域に記述されているライセンスＩＤに基づいて、そのライセンスＩＤに対応する視聴ライセンスに含まれるスクランブル鍵を記憶部６３から読み出す。そして、CAS処理部６２は、そのスクランブル鍵と、視聴対象のPMTに記述されているＥＳのパケットＩＤとをデスクランブラ５３に供給し、処理をステップＳ３８に進める。
【００９２】
一方、ステップＳ３５でCAS方式はライセンス方式ではないと判定された場合、ステップＳ３７において、CAS処理部６２は、そのCAS方式に対応する処理を行い、スクランブル鍵を取得する。そして、CAS処理部６２は、そのスクランブル鍵と、視聴対象のPMTに記述されているＥＳのパケットＩＤとをデスクランブラ５３に供給し、処理をステップＳ３８に進める。
【００９３】
ステップＳ３８において、デスクランブラ５３は、CAS処理部６２から供給されるスクランブル鍵を用いて、CAS処理部６２から供給されるパケットＩＤに対応するＥＳのスクランブルを解除する。これにより、視聴対象のＴＳのビデオデータおよびオーディオデータに施されているスクランブルが解除される。スクランブルが解除されたＴＳはデマルチプレクサ５４に供給される。
【００９４】
ステップＳ３９において、デマルチプレクサ５４は、デスクランブラ５３から供給されるＴＳを、ビデオデータ、オーディオデータ、表示制御情報、PSIの各情報等に分離する。デマルチプレクサ５４は、ビデオデータをビデオデコーダ５５に供給し、オーディオデータをオーディオデコーダ５８に供給する。また、デマルチプレクサ５４は、表示制御情報をブラウザ６０に供給し、PSIの各情報等を制御部６４およびCAS処理部６２に供給する。
【００９５】
ステップＳ４０において、ビデオデコーダ５５は、制御部６４の制御にしたがって、デマルチプレクサ５４から供給されるビデオデータを、コミュニティ放送局３２におけるエンコードに対応する方式でデコードし、選択部５６に供給する。
【００９６】
ステップＳ４１において、オーディオデコーダ５８は、制御部６４の制御にしたがって、デマルチプレクサ５４から供給されるオーディオデータを、コミュニティ放送局３２におけるエンコードに対応する方式でデコードし、スピーカ５９に供給する。
【００９７】
ステップＳ４２において、ブラウザ６０は、デマルチプレクサ５４から供給される表示制御情報を解釈して、ビデオデータを生成し、選択部５６に供給する。
【００９８】
ステップＳ４３において、選択部５６は、制御部６４の制御にしたがって、ビデオデコーダ５５から供給されるビデオデータまたはブラウザ６０から供給されるビデオデータを選択し、表示部５７に供給する。
【００９９】
ステップＳ４４において、表示部５７は、選択部５６から供給されるビデオデータに基づいて、視聴対象の有料のコミュニティ放送の画像を表示する。
【０１００】
ステップＳ４５において、スピーカ５９は、オーディオデコーダ５８から供給されるオーディオデータに対応する音声を、視聴対象の有料のコミュニティ放送の音声として出力する。そして処理は終了する。
【０１０１】
以上のように、送受信システム３０において、ライセンス方式のために新たに必要な受信端末３３の機能は、基本的に、CAS処理部６２の機能だけである。従って、ライセンス方式のための受信端末３３の開発コストを低く抑えることができる。また、CAS処理部６２の機能を、他の機能を実現するCPU等で実現する場合、ライセンス方式のために新たなハードウエアを追加する必要がない。
【０１０２】
＜第２実施の形態＞
[送受信システムの第２実施の形態の構成例]
図１２は、本発明を適用した送受信システムの第２実施の形態の構成例を示す図である。
【０１０３】
図１２に示す構成のうち、図２の構成と同じ構成には同じ符号を付してある。重複する説明については適宜省略する。
【０１０４】
図１２の送受信システム１００の構成は、主に、受信端末３３、サーバ３５の代わりに受信端末１０１、リーダライタ１０２が設けられている点が図２の構成と異なる。送受信システム１００では、受信端末１０１が有する非接触型ＩＣ（Integrated Circuit）チップを利用して視聴ライセンスがやり取りされる。
【０１０５】
受信端末１０１は、受信端末３３と同様に、地上波デジタル放送波の中央セグメントで送信される無料のワンセグ放送または有料のコミュニティ放送を受信可能な携帯端末である。また、受信端末１０１は、非接触型ＩＣチップを内蔵している。受信端末１０１では、非接触型ＩＣチップが電磁波を利用して非接触でリーダライタ１０２とデータの送受信を行うことにより、リーダライタ１０２から視聴ライセンスを取得する。
【０１０６】
リーダライタ１０２は、電磁波を利用して受信端末１０１とデータの送受信を行い、受信端末１０１の認証を行う。また、リーダライタ１０２は、正当な受信端末１０１に、コミュニティ放送局３２により放送される有料のコミュニティ放送のスクランブル鍵を、電磁波を利用して送信する。さらに、リーダライタ１０２は、受信端末１０１に送信したスクランブル鍵に対応する有料のコミュニティ放送についての課金処理を受信端末１０１に対して行う。
【０１０７】
以上のように構成される送受信システム１００としては、例えば、リーダライタ１０２をゴルフトーナメント会場の入場口に設置し、コミュニティ放送局３２が特定の有名選手のラウンドを追いかける有料のコミュニティ放送を送信するものが考えられる。この場合、入場者は、入場口において受信端末１０１をリーダライタ１０２と通信可能な範囲に近づけることにより、入場料とともに、特定の有名選手のラウンドを追いかける有料のコミュニティ放送の受信料を支払い、そのコミュニティ放送を視聴することができる。なお、コミュニティ放送局３２は、有料のコミュニティ放送とともに、ゴルフトーナメントのハイライトシーンを追いかける無料のコミュニティ放送を送信するようにしてもよい。
【０１０８】
[受信端末の詳細構成例]
図１３は、図１２の受信端末１０１の詳細構成例を示すブロック図である。
【０１０９】
図１３に示す構成のうち、図４の構成と同じ構成には同じ符号を付してある。重複する説明については適宜省略する。
【０１１０】
図１３の受信端末１０１の構成は、主に、無線通信インタフェース６１の代わりに非接触型ＩＣチップ１１１が設けられている点が図４の構成と異なる。
【０１１１】
非接触型ＩＣチップ１１１は、電磁波を利用してリーダライタ１０２とデータの送受信を行う。例えば、非接触型ＩＣチップ１１１は、CAS処理部６２から供給される、受信端末３３の端末ＩＤを所定の変調方式で変調し、電磁波を利用してリーダライタ１０２に送信する。また、非接触型ＩＣチップ１１１は、リーダライタ１０２による端末ＩＤを用いた認証処理の結果電磁波を利用して送信されてくる視聴ライセンスを受信して、リーダライタ１０２の変調方式に対応する復調方式で復調する。そして、非接触型ＩＣチップ１１１は、復調の結果得られる視聴ライセンスをCAS処理部６２に供給する。
【０１１２】
[リーダライタの詳細構成例]
図１４は、図１２のリーダライタ１０２の詳細構成例を示すブロック図である。
【０１１３】
図１４のリーダライタ１０２は、アンテナ１５１、アナログフロントエンド部１５２、制御部１５３、ROM１５４、RAM１５５、記録部１５６、およびドライブ１６２により構成される。
【０１１４】
アンテナ１５１は、アナログフロントエンド部１５２から供給された視聴ライセンスを、電磁波を利用して受信端末１０１に送信する。また、アンテナ１５１は、受信端末１０１から送信されてきた電磁波を受信し、アナログフロントエンド部１５２に供給する。
【０１１５】
アナログフロントエンド部１５２は、所定の周波数のクロック信号を基に、搬送波を生成する。アナログフロントエンド部１５２は、搬送波に基づいて、制御部１５３から供給された視聴ライセンスを所定の方式で変調し、アンテナ１５１に供給する。また、アナログフロントエンド部１５２は、アンテナ１５１から供給された電磁波を、受信端末１０１の非接触型ＩＣチップ１１１の変調方式に対応する復調方式により復調し、その結果得られる端末ＩＤを制御部１５３に供給する。
【０１１６】
制御部１５３は、記憶部１５６に記憶されているプログラムを、RAM１５５にロードして実行することにより、各種の処理を実行する。具体的には、制御部１５３は、アナログフロントエンド部１５２から供給される端末ＩＤに基づいて認証処理を行う。また、制御部１５３は、その認証処理の結果に応じて、記憶部１５６に記憶されている、コミュニティ放送局３２により送信される有料のコミュニティ放送の視聴ライセンスを、アナログフロントエンド部１５２に供給する。さらに、制御部１５３は、視聴ライセンスを受信した受信端末１０１に対して、その視聴ライセンスに対応する有料のコミュニティ放送についての課金処理を行う。
【０１１７】
なお、制御部１５３が実行するプログラムは、例えば、パッケージメディア等としてのリムーバブルメディア１７１に記録して提供することができる。また、プログラムは、ローカルエリアネットワーク、インターネット、デジタル衛星放送といった、有線または無線の伝送媒体を介して提供することができる。
【０１１８】
また、リーダライタ１０２では、プログラムは、リムーバブルメディア１７１をドライブ１６２に装着することにより、記憶部１５６にインストールすることができる。その他、プログラムは、ROM１５４や記憶部１５６に、あらかじめインストールしておくことができる。
【０１１９】
なお、送受信システム１００における処理は、視聴ライセンスがリーダライタ１０２により提供される点を除いて送受信システム３０における処理と同様であるため、その処理の詳細な説明は省略する。
【０１２０】
上述した送受信システム３０（１００）では、コミュニティ放送に対してライセンス方式を用いた受信制限が行われたが、ワンセグ放送に対してライセンス方式を用いた受信制限が行われるようにしてもよい。さらに、コミュニティ放送やワンセグ放送の一部にのみ受信制限が行われるようにしてもよい。
【０１２１】
また、上述した受信端末３３の一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０１２２】
図１５は、上述した一連の処理をプログラムにより実行するパーソナルコンピュータのハードウエアの構成例を示すブロック図である。
【０１２３】
パーソナルコンピュータ２００において、CPU（Central Processing Unit）２０１，ROM（Read Only Memory）２０２，RAM（Random Access Memory）２０３は、バス２０４により相互に接続されている。
【０１２４】
バス２０４には、さらに、入出力インタフェース２０５が接続されている。入出力インタフェース２０５には、入力部２０６、出力部２０７、記憶部２０８、通信部２０９、及びドライブ２１０が接続されている。
【０１２５】
入力部２０６は、キーボード、マウス、マイクロフォンなどよりなる。出力部２０７は、ディスプレイ、スピーカなどよりなる。記憶部２０８は、ハードディスクや不揮発性のメモリなどよりなる。通信部２０９は、ネットワークインタフェースなどよりなる。ドライブ２１０は、磁気ディスク、光ディスク、光磁気ディスク、又は半導体メモリなどのリムーバブルメディア２１１を駆動する。
【０１２６】
以上のように構成されるパーソナルコンピュータ２００では、CPU２０１が、例えば、記憶部２０８に記憶されているプログラムを、入出力インタフェース２０５及びバス２０４を介して、RAM２０３にロードして実行することにより、上述した一連の処理が行われる。
【０１２７】
パーソナルコンピュータ２００（CPU２０１）が実行するプログラムは、例えば、パッケージメディア等としてのリムーバブルメディア２１１に記録して提供することができる。また、プログラムは、ローカルエリアネットワーク、インターネット、デジタル衛星放送といった、有線または無線の伝送媒体を介して提供することができる。
【０１２８】
パーソナルコンピュータ２００では、プログラムは、リムーバブルメディア２１１をドライブ２１０に装着することにより、入出力インタフェース２０５を介して、記憶部２０８にインストールすることができる。また、プログラムは、有線または無線の伝送媒体を介して、通信部２０９で受信し、記憶部２０８にインストールすることができる。その他、プログラムは、ROM２０２や記憶部２０８に、あらかじめインストールしておくことができる。
【０１２９】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１３０】
また、本明細書において、システムとは、複数の装置により構成される装置全体を表すものである。
【０１３１】
本発明の実施の形態は、上述した実施の形態に限定されるものではなく、本発明の要旨を逸脱しない範囲において種々の変更が可能である。
【符号の説明】
【０１３２】
３０  送受信システム，  ３３  受信端末，  ３５  サーバ，  ５２  チューナ，  ５３  デスクランブラ，  ６１  無線通信インタフェース，  ７１  CPU，  ７９  通信部，  １００  送受信システム，  １０１  受信端末，  １０２  リーダライタ，  １１１  非接触型ＩＣチップ，  １５１  アンテナ，  １５３  制御部
【図１】
2010268091.tif 000003
【図２】
2010268091.tif 000004
【図３】
2010268091.tif 000005
【図４】
2010268091.tif 000006
【図５】
2010268091.tif 000007
【図６】
2010268091.tif 000008
【図７】
2010268091.tif 000009
【図８】
2010268091.tif 000010
【図９】
2010268091.tif 000011
【図１０】
2010268091.tif 000012
【図１１】
2010268091.tif 000013
【図１２】
2010268091.tif 000014
【図１３】
2010268091.tif 000015
【図１４】
2010268091.tif 000016
【図１５】
2010268091.tif 000017